(57)【要約】本発明は、制御シグナリングのオーバヘッドを低減するための方法および装置に関する。制御シグナリングのオーバヘッドを低減する本方法は、物理アップリンク共用チャネルをスケジュールするために使用される複数のダウンリンク制御情報フォーマットを生成するステップと、物理アップリンク共用チャネルをスケジュールするために使用される複数のダウンリンク制御情報フォーマットのうちの生成された１つを送信するステップとを備え、複数のダウンリンク制御情報フォーマットのそれぞれは、特定のシナリオのために必要とされる最小ペイロードを含む。本発明によって、シグナリング・オーバヘッドが最小化される。
2013517649.tif 000002
【特許請求の範囲】
【請求項１】
制御シグナリングのオーバヘッドを低減する方法であって、
物理アップリンク共用チャネルをスケジュールするために使用される複数のダウンリンク制御情報フォーマットのうちの１つを生成するステップと、
前記物理アップリンク共用チャネルをスケジュールするために使用される前記複数のダウンリンク制御情報フォーマットのうちの前記生成された１つを送信するステップと
を備え、
前記複数のダウンリンク制御情報フォーマットのそれぞれは、特定のシナリオのために必要とされる最小ペイロードを備える、方法。
【請求項２】
前記複数のダウンリンク制御情報フォーマットは、複数の拡張アップリンク送信モードをサポートするために必要とされる複数のダウンリンク制御情報フォーマットに対応する、請求項１に記載の方法。
【請求項３】
前記複数の拡張アップリンク送信モードは、仕様書に定義されている様々な多入力多出力送信モードを備える、請求項２に記載の方法。
【請求項４】
制御シグナリングのオーバヘッドを低減するための装置であって、
物理アップリンク共用チャネルをスケジュールするために使用される複数のダウンリンク制御情報フォーマットのうちの１つを生成するための生成デバイスと、
前記物理アップリンク共用チャネルをスケジュールするために使用される前記複数のダウンリンク制御情報フォーマットのうちの前記生成された１つを送信するための送信デバイスと
を備え、
前記複数のダウンリンク制御情報フォーマットのそれぞれは、特定のシナリオのために必要とされる最小ペイロードを備える、装置。
【請求項５】
前記複数のダウンリンク制御情報フォーマットは、複数の拡張アップリンク送信モードをサポートするために必要とされる複数のダウンリンク制御情報フォーマットに対応する、請求項４に記載の装置。
【請求項６】
前記複数の拡張アップリンク送信モードは、仕様書に定義されている様々な多入力多出力送信モードを備える、請求項５に記載の装置。
【請求項７】
制御シグナリングのオーバヘッドを低減する方法であって、
物理アップリンク共用チャネルをスケジュールするために使用される複数のダウンリンク制御情報フォーマットのうちの１つを受信するステップと、
前記物理アップリンク共用チャネルをスケジュールするために使用される前記複数のダウンリンク制御情報フォーマットのうちの前記受信された１つをブラインド復号するステップと
を備え、
前記複数のダウンリンク制御情報フォーマットのそれぞれは、特定のシナリオのために必要とされる最小ペイロードを備える、方法。
【請求項８】
前記複数のダウンリンク制御情報フォーマットは、複数の拡張アップリンク送信モードをサポートするために必要とされる複数のダウンリンク制御情報フォーマットに対応する、請求項７に記載の方法。
【請求項９】
前記複数の拡張アップリンク送信モードは、仕様書に定義されている様々な多入力多出力送信モードを備える、請求項８に記載の方法。
【請求項１０】
制御シグナリングのオーバヘッドを低減する装置であって、
物理アップリンク共用チャネルをスケジュールするために使用される複数のダウンリンク制御情報フォーマットのうちの１つを受信するための受信デバイスと、
前記物理アップリンク共用チャネルをスケジュールするために使用される前記複数のダウンリンク制御情報フォーマットのうちの前記受信された１つをブラインド復号するためのブラインド復号デバイスと
を備え、
前記複数のダウンリンク制御情報フォーマットのそれぞれは、特定のシナリオのために必要とされる最小ペイロードを備える、方法。
【請求項１１】
前記複数のダウンリンク制御情報フォーマットは、複数の拡張アップリンク送信モードをサポートするために必要とされる複数のダウンリンク制御情報フォーマットに対応する、請求項１０に記載の装置。
【請求項１２】
前記複数の拡張アップリンク送信モードは、仕様書に定義されている様々な多入力多出力送信モードを備える、請求項１１に記載の装置。
【発明の詳細な説明】
【技術分野】
【０００１】
本開示は、通信の分野に関し、具体的には、制御シグナリングのオーバヘッドを低減するための方法および装置に関する。
【背景技術】
【０００２】
３ＧＰＰ  ＬＴＥ  Ｒｅｌ−８システムでは、ユーザ機器（ＵＥ）は、２つの送信アンテナを備えるが、１つの無線周波数（ＲＦ）チェーンしか備えないで構成されると定義されている。ＵＥのこの構成によって、ＬＴＥアップリンク（ＵＬ）送信のために利用される実行可能なマルチアンテナ方式は、送信アンテナ選択送信しかないことになる。したがって、ＬＴＥ  ＵＬ送信のリソース付与では、物理アップリンク共用チャネル（ＰＵＳＣＨ）に関する送信情報を搬送するためには、１つのダウンリンク制御情報（ＤＣＩ）フォーマット（すなわち、ＤＣＩフォーマット０）を定義するだけで十分である。
【０００３】
しかし、３ＧＰＰ  ＬＴＥアドバンスト（ＬＴＥ−Ａ）システムでは、改善されたＵＬ性能要件を満たすために、ＳＵ−ＭＩＭＯ（単一ユーザ多入力多出力）、非隣接リソース・ブロック（ＲＢ）割当およびキャリア・アグリゲーションなどの拡張ＵＬ送信モードが導入されている。ＬＴＥ−Ａにおけるこれらの新規特徴をサポートするためには、追加のＤＣＩフォーマット、ＤＣＩモニタリング・セットの修正、およびブラインド復号が必要とされると予想される。
【０００４】
３ＧＰＰ  ＬＴＥ−Ａでは、単一アンテナ・ポート・モードおよび空間多重方式が、複数の送信アンテナを有するＵＥのＵＬ送信のためのＴＲ３６．８１４にすでに規定されている。ＰＵＳＣＨのための送信ダイバーシチを導入することに関する合意はない。さらに、４層までのＵＬ空間多重方式がサポートされることが可能であり、トランスポート・ブロック（ＴＢ）が２つまで、スケジュールされたＵＥからＵＬコンポーネント・キャリアごとに１つのサブフレームで送信されることが可能であることが規定されている。各ＴＢは、それ自体の変調符号化方式（ＭＣＳ）レベルを有する。３ビット・プリコーディング・コードブックおよび６ビット・プリコーディング・コードブックが、それぞれ、２つの送信アンテナおよび４つの送信アンテナを用いたＵＬ空間多重方式のために使用される。
【０００５】
ＬＴＥ  Ｒｅｌ−８では、ＰＵＳＣＨのスケジューリングのためにＤＣＩフォーマット０が使用される。ＤＣＩフォーマット０に関する下の表１における情報が送信される。
【０００６】
【表１】
2013517649.tif 000003
【０００７】
ここで、
【０００８】
【数１】
2013517649.tif 000004
は、ＲＢの数で表されたＵＬ帯域幅構成を示し、フォーマット１Ａは、ダウンリンクチャネルの送信情報を示す（フォーマット０およびフォーマット１Ａは同じ長さなので、フォーマット０／フォーマット１Ａの区別のためのフラグは、ＵＥがフォーマット０とフォーマット１Ａを区別することができるようにするために必要とされる）。ＤＣＩフォーマット０がプリコーディング動作および２ＴＢ送信をサポートすることができないことは明らかである。
【０００９】
３ＧＰＰ寄書Ｒ１−０９４４９７において、パナソニック株式会社は、同時に２つのＴＢおよびプリコーディング情報をサポートするために汎用ＤＣＩフォーマット（例えばＤＣＩフォーマット０Ａとして示される）を提案した。ＤＣＩフォーマット０Ａに関する下の表２における情報が送信されることが推論され得る。
【００１０】
【表２】
2013517649.tif 000005
【００１１】
この実施例では、我々は、層シフティングもＨＡＲＱ空間バンドリングも、それらの３ＧＰＰ  ＬＴＥ−Ａ規格が最終的に決められていないので、構成されないと仮定する。層シフティングおよびＨＡＲＱ（ＮＤＩを含む）空間バンドリングが構成される場合は、ＴＢ２のための追加のＮＤＩは必要がなく、１つのＮＤＩがＴＢの両方のために定義される。本出願人は、フォーマット０Ａのために送信される情報の特定の意味を当業者は理解することができると信じる。したがって、それらの分野は、簡明にするために、本明細書では詳細には説明されない。新たに定義されたフォーマットが他のフォーマットと同じ長さのものである場合は、フォーマットの第１のフィールドにおける区別フラグは、同じ長さの異なるフォーマットを示すことに留意されたい。
【００１２】
この汎用ＤＣＩフォーマット０Ａを定義することにより、唯一の追加のＤＣＩフォーマットは、プリコーディングおよび２つのＴＢを有する拡張ＵＬ  ＳＵ−ＭＩＭＯをサポートすることを必要とされる。この解決策は、多数のフォーマットを規定する必要をなくすという利点を有し、その結果、実施の過度の複雑性およびＵＥにおけるブラインド復号のための試験を回避する。しかし、この解決策では、シグナリング・オーバヘッドは最小化されない。特に単一アンテナ・ポート・モードおよび１ＴＢ送信モードでは、ＴＢ２のためのプリコーディング情報フィールドおよび／またはＭＣＳフィールドは冗長であり得る。制御シグナリングの信頼できる受信を維持するために、これらの情報ビットのほかに、低レートチャネル符号化のため、追加の冗長ビットが追加される。したがって、より多くの情報ビットのために、より多くの冗長ビットが予想され得る。さらに、重いサービスロードがある場合は、すなわち多数のＵＥがスケジュールされている場合は、すべてのサービスされるＵＥのための総シグナリング・オーバヘッドは重大である。
【発明の概要】
【発明が解決しようとする課題】
【００１３】
したがって、シグナリング・オーバヘッドを最小化するための解決策が必要である。
【課題を解決するための手段】
【００１４】
本発明の第１の態様によると、制御シグナリングのオーバヘッドを低減する方法が提案される。この方法は、物理アップリンク共用チャネルをスケジュールするために使用される複数のダウンリンク制御情報フォーマットのうちの１つを生成するステップと、物理アップリンク共用チャネルをスケジュールするために使用される複数のダウンリンク制御情報フォーマットのうちの生成された１つを送信するステップとを備え、複数のダウンリンク制御情報フォーマットのそれぞれは、特定のシナリオのために必要とされる最小ペイロードを含む。
【００１５】
本発明の第２の態様によると、制御シグナリングのオーバヘッドを低減するための装置が提案される。この装置は、物理アップリンク共用チャネルをスケジュールするために使用される複数のダウンリンク制御情報フォーマットのうちの１つを生成するための生成デバイスと、物理アップリンク共用チャネルをスケジュールするために使用される複数のダウンリンク制御情報フォーマットのうちの生成された１つを送信するための送信デバイスとを備え、複数のダウンリンク制御情報フォーマットのそれぞれは、特定のシナリオのために必要とされる最小ペイロードを含む。
【００１６】
本発明の第３の態様によると、制御シグナリングのオーバヘッドを低減する方法が提案される。この方法は、物理アップリンク共用チャネルをスケジュールするために使用される複数のダウンリンク制御情報フォーマットのうちの１つを受信するステップと、物理アップリンク共用チャネルをスケジュールするために使用される複数のダウンリンク制御情報フォーマットのうちの受信された１つをブラインド復号するステップとを備え、複数のダウンリンク制御情報フォーマットのそれぞれは、特定のシナリオのために必要とされる最小ペイロードを含む。
【００１７】
本発明の第４の態様によると、制御シグナリングのオーバヘッドを低減する装置が提案される。この装置は、物理アップリンク共用チャネルをスケジュールするために使用される複数のダウンリンク制御情報フォーマットのうちの１つを受信するための受信デバイスと、物理アップリンク共用チャネルをスケジュールするために使用される複数のダウンリンク制御情報フォーマットのうちの受信された１つをブラインド復号するためのブラインド復号デバイスとを備え、複数のダウンリンク制御情報フォーマットのそれぞれは、特定のシナリオのために必要とされる最小ペイロードを含む。
【００１８】
本発明によって、シグナリング・オーバヘッドが最小化される。
【００１９】
本発明の他の目的および効果は、図面および本発明のより十分な理解に関連して行われる以下の説明からより明らかになり、容易に理解されるようになるであろう。
【図面の簡単な説明】
【００２０】
【図１】本発明の一実施形態による、制御シグナリングのオーバヘッドを低減する方法の流れ図である。
【図２】本発明の一実施形態による、制御シグナリングのオーバヘッドを低減するための装置のブロック図である。
【図３】本発明の一実施形態による、制御シグナリングのオーバヘッドを低減する方法の流れ図である。
【図４】本発明の一実施形態による、制御シグナリングのオーバを低減するための装置のブロック図である。
【発明を実施するための形態】
【００２１】
全図面にわたって、同一の参照数字は、同一の、同様の、または対応する特徴もしくは機能を示す。
【００２２】
本発明の基本概念は、物理アップリンク共用チャネルをスケジュールするために複数の定義されたダウンリンク制御情報フォーマットのうちの１つを利用することであり、複数のダウンリンク制御情報フォーマットのそれぞれは、特定のシナリオのために必要とされる最小ペイロードを含み、それによって、シグナリング・オーバヘッドを最小化する。
【００２３】
したがって、拡張ＵＬ  ＳＵ−ＭＩＭＯ送信モードをサポートするパースペクティブから、以下の説明において、物理アップリンク共用チャネルをスケジュールするためのいくつかの新規ＤＩＣフォーマットが提案される。キャリア・アグリゲーションおよび非隣接リソース割当をサポートするために追加のフィールドが必要とされる場合は、提案されたＤＣＩフォーマットは、キャリア指示フィールド、リソース割当ヘッダおよび／またはリソース割当タイプなどを含むことにより拡張され得る。すなわち、本発明は以下で定義される特定のＤＣＩフォーマットに限定されないことを理解されたい。
【００２４】
３ＧＰＰ  ＬＴＥ−Ａに関する最新の仕様ＴＲ３６．８１４  ｖｌ．５．１によると、可能なＰＵＳＣＨ送信モードが、下の表３に要約されている。
【００２５】
【表３】
2013517649.tif 000006
【００２６】
ＬＴＥ  Ｒｅｌ−８に定義されている既存のＤＣＩフォーマット０は、単一アンテナ・ポート送信モードのために使用され得る。シグナリング・オーバヘッドを最小化しながら、これらの２つの新規送信モード２および３をサポートするために、我々は、既存のＤＣＩフォーマット０のほかに、ＰＵＳＣＨのスケジューリングのための以下の新規ＤＣＩフォーマットを提案する。
【００２７】
ＤＣＩフォーマット０Ｂ
ＤＣＩフォーマット０Ｂは、プリコーディング情報を有する１つのＰＵＳＣＨコードワードのスケジューリングのために使用される。ＤＣＩフォーマット０Ｂのために送信される情報が、下の表４に要約されている。
【００２８】
【表４】
2013517649.tif 000007
【００２９】
パナソニック株式会社によって提案されたＤＣＩフォーマット０Ａに比較して、第２のＴＢおよびＴＢ−トゥ−コードワード・スワップ・フラグのための追加のＭＣＳフィールドおよびＮＤＩフィールドは、プリコーディング情報を有する１つのコードワードのＰＵＳＣＨスケジューリングのため、節減される。
【００３０】
ＤＣＩフォーマット０Ｃ
ＤＣＩフォーマット０Ｃは、プリコーディング情報を有する２つのＰＵＳＣＨコードワードのスケジューリングのために使用される。ＤＣＩフォーマット０Ｃのために送信され得る情報が、下の表５に要約されている。
【００３１】
【表５】
2013517649.tif 000008
【００３２】
フル・ランク送信のためのプリコーディング行列は識別行列であることがＴＲ３６．８１４に規定されているので。ＵＥにおける２つのアンテナ・ポートでは、２つのコードワードを有する送信は、２つのランクまでの送信に対応する。したがって、この場合、ＰＭＩ情報は必要がない。ＤＣＩフォーマット０Ｃとパナソニック株式会社によって提案されたＤＣＩフォーマット０Ａとの違いは、ＤＣＩフォーマット０Ｃは、ＵＥにおける４つのアンテナ・ポートの場合にのみ適用可能であることである。したがって、我々は、フォーマット内のペイロードを最小化するために、この場合および他の特定のシナリオのために、コンパクトＤＣＩフォーマット０Ｄを提案する。
【００３３】
ＤＣＩフォーマット０Ｄ
ＤＣＩフォーマット０Ｄは、プリコーディング情報を有しない２つのＰＵＳＣＨコードワードのコンパクト・スケジューリングのために使用され。ＤＣＩフォーマット０Ｄのために送信され得る情報が、下の表６に要約されている。
【００３４】
【表６】
2013517649.tif 000009
【００３５】
ここで、ＰＭＩ確認の内容は、表７に記載されているように定義される。
【００３６】
【表７】
2013517649.tif 000010
【００３７】
ＰＭＩ確認値１は、２つのシナリオで示され得る。１つのシナリオは、ＰＭＩがサブフレームごとに変わらない長期プリコーディングに関する。もう１つのシナリオでは、新たに生成されたＰＭＩは、最後のＰＭＩと同じである。ＤＣＩフォーマット０Ｃに比較して、追加のプリコーディング確認ビットが必要とされるが、６ビットＰＭＩ情報は節減される。
【００３８】
ＤＣＩフォーマット０ＣおよびコンパクトＤＣＩフォーマット０Ｄは、層シフティングもＨＡＲＱ／ＮＤＩ空間バンドリングも構成されないという仮定の下で定義される。ＮＤＩ空間バンドリングが合意された場合は、第２のＴＢのためのＮＤＩフィールドがさらに節減され得る。
【００３９】
ＵＬマルチアンテナ送信の有用なシナリオの大多数は、新たに設計されたＤＣＩフォーマット０Ｂ、０Ｃおよび０Ｄによってカバーされる。新たに定義されたＤＣＩフォーマットによって、制御シグナリング・オーバヘッドが最小化され得る。
【００４０】
図１は、本発明の一実施形態による、制御シグナリングのオーバヘッドを低減する方法の流れ図を例示する。
【００４１】
この方法は、物理アップリンク共用チャネルをスケジュールするために使用される複数のダウンリンク制御情報フォーマットのうちの１つを生成するステップＳ１１０と、物理アップリンク共用チャネルをスケジュールするために使用される複数のダウンリンク制御情報フォーマットのうちの生成された１つを送信するステップＳ１２０とを備え、複数のダウンリンク制御情報フォーマットのそれぞれは、特定のシナリオのために必要とされる最小ペイロードを含む。
【００４２】
この場合、複数のダウンリンク制御情報フォーマットは、複数の拡張アップリンク送信モードをサポートするために必要とされる複数のダウンリンク制御情報フォーマットに対応する。より具体的には、複数の拡張アップリンク送信モードは、仕様書に定義されている様々な多入力多出力送信モードを含む。すなわち、複数のダウンリンク制御情報フォーマットは、前述のフォーマット０、フォーマット０Ｂ、フォーマット０Ｃおよびフォーマット０Ｄを含む。
【００４３】
図２は、本発明の一実施形態による、制御シグナリングのオーバヘッドを低減するための装置のブロック図を例示する。
【００４４】
装置２００は、物理アップリンク共用チャネルをスケジュールするために使用される複数のダウンリンク制御情報フォーマットのうちの１つを生成するための生成デバイス２１０と、物理アップリンク共用チャネルをスケジュールするために使用される複数のダウンリンク制御情報フォーマットのうちの生成された１つを送信するための送信デバイス２２０とを含み、複数のダウンリンク制御情報フォーマットのそれぞれは、特定のシナリオのために必要とされる最小ペイロードを含む。
【００４５】
複数のダウンリンク制御情報フォーマットは、複数の拡張アップリンク送信モードをサポートするために必要とされる複数のダウンリンク制御情報フォーマットに対応する。より具体的には、複数の拡張アップリンク送信モードは、仕様書に定義されている様々な多入力多出力送信モードを含む。すなわち、複数のダウンリンク制御情報フォーマットは、前述のフォーマット０、フォーマット０Ｂ、フォーマット０Ｃおよびフォーマット０Ｄを含む。
【００４６】
装置２００は、例えばｅＮＢに配置される。
【００４７】
図３は、本発明の一実施形態による、制御シグナリングのオーバヘッドを低減する方法の流れ図を例示する。
【００４８】
図３に例示されているように、この方法は、物理アップリンク共用チャネルをスケジュールするために使用される複数のダウンリンク制御情報フォーマットのうちの１つを受信するステップＳ３１０と、物理アップリンク共用チャネルをスケジュールするために使用される複数のダウンリンク制御情報フォーマットのうちの受信された１つをブラインド復号するステップＳ３２０とを含み、複数のダウンリンク制御情報フォーマットのそれぞれは、特定のシナリオのために必要とされる最小ペイロードを含む。
【００４９】
この場合、複数のダウンリンク制御情報フォーマットは、拡張アップリンク送信モードをサポートするために必要とされる複数のダウンリンク制御情報フォーマットに対応する。より具体的には、複数の拡張アップリンク送信モードは、仕様書に定義されている様々な多入力多出力送信モードを含む。すなわち、複数のダウンリンク制御情報フォーマットは、前述のフォーマット０、フォーマット０Ｂ、フォーマット０Ｃおよびフォーマット０Ｄを含む。
【００５０】
図４は、本発明の一実施形態による、制御シグナリングのオーバヘッドを低減するための装置のブロック図を例示する。
【００５１】
図４に例示されているように、装置４００は、物理アップリンク共用チャネルをスケジュールするために使用される複数のダウンリンク制御情報フォーマットのうちの１つを受信するための受信デバイス４１０と、物理アップリンク共用チャネルをスケジュールするために使用される複数のダウンリンク制御情報フォーマットのうちの受信された１つをブラインド復号するためのブラインド復号デバイス４２０とを含み、複数のダウンリンク制御情報フォーマットのそれぞれは、特定のシナリオのために必要とされる最小ペイロードを含む。
【００５２】
この場合、複数のダウンリンク制御情報フォーマットは、複数の拡張アップリンク送信モードをサポートするために必要とされる複数のダウンリンク制御情報フォーマットに対応する。より具体的には、複数の拡張アップリンク送信モードは、仕様書に定義されている様々な多入力多出力送信モードを含む。すなわち、複数のダウンリンク制御情報フォーマットは、前述のフォーマット０、フォーマット０Ｂ、フォーマット０Ｃおよびフォーマット０Ｄを含む。
【００５３】
装置４００は、例えばＵＥに配置される。
【００５４】
本発明の実施のために必要なこともある、当業者にはよく知られている、いくつかのさらに特定の技術的詳細は、本発明をより明確にするために前述の説明では省略されていることに留意されたい。
【００５５】
本発明の本明細書は、本発明を例示し説明するためのものであって、本発明を論じ尽くす、または本開示に限定するためのものではない。多数の変更形態および変形形態が当業者には明らかであろう。
【００５６】
したがって、諸実施形態は、本発明の原理およびその実用的な適用形態をより分かり易く説明するために選択され、記述されており、すべの変更形態および変形形態は、本発明の本質から逸脱することなく添付の特許請求の範囲に定義されている本発明の範囲に含まれるものとすることを当業者は理解することができる。
【図１】
2013517649.tif 000011
【図２】
2013517649.tif 000012
【図３】
2013517649.tif 000013
【図４】
2013517649.tif 000014
【国際調査報告】
2013517649.tif 000015
2013517649.tif 000016
2013517649.tif 000017
2013517649.tif 000018